(57)【要約】【課題】入水口と出湯口を視認性高く明示することができる給湯装置用の識別具を提供する。【解決手段】給湯装置１において第１露出管路１５は、第１外部管路１９１が接続される部位であり、第１外部管路１９１からの水の入口となる入水口１６を備える。第２露出管路１７は、熱交換器６によって沸かされた湯の出口として構成される出湯口１８を備え、出湯口１８から流出する湯を流すための第２外部管路１９２が接続される部位となっている。給湯装置用の識別具１００は、第１表示部材１１０と第２表示部材１２０とを備える。第１表示部材１１０は、第１露出管路１５に連結された部分に取り付けられ、水を示す記号が表されている。第２表示部材１２０は、第２露出管路１７に連結された部分に取り付けられ、湯を示す記号が表されている。【選択図】図３
2018112252.tif 000002
【特許請求の範囲】
【請求項１】
第１外部管路からの水の入口となる入水口を備えるとともに前記第１外部管路が接続される第１露出管路と、前記入水口を介して外部から流入した水を通す通水路と、ガスバーナと、前記通水路を通る水に前記ガスバーナで生じた熱を伝達して湯を沸かす熱交換器と、前記熱交換器によって沸かされた湯の出口として構成される出湯口を備えるとともに前記出湯口から流出する湯を流すための第２外部管路が接続される第２露出管路と、を有する給湯装置に取り付けられるものであり、
前記第１露出管路又は前記第１露出管路に連結された部分に取り付けられ、水を示す記号又は図形の少なくともいずれかが表された第１表示部材と、
前記第２露出管路又は前記第２露出管路に連結された部分に取り付けられ、湯を示す記号又は図形の少なくともいずれかが表された第２表示部材と、
を有する給湯装置用の識別具。
【請求項２】
前記第１表示部材は、板状に構成された第１板状部材を有し、前記第１板状部材において厚さ方向に貫通するように形成された１又は複数の貫通部により水を示す記号又は図形の少なくともいずれかが表され、
前記第２表示部材は、板状に構成された第２板状部材を有し、前記第２板状部材において厚さ方向に貫通するように形成された１又は複数の貫通部により湯を示す記号又は図形の少なくともいずれかが表されている請求項１に記載の給湯装置用の識別具。
【請求項３】
前記第１板状部材の表面部は第１の色で表され、
前記第２板状部材の表面部は、前記第１の色とは異なる第２の色で表されている請求項２に記載の給湯装置用の識別具。
【発明の詳細な説明】
【技術分野】
【０００１】
本発明は、給湯装置用の識別具に関するものである。
【背景技術】
【０００２】
従来より、外部から導入された水に対してガスバーナで燃焼した熱を伝達し、湯を沸かす給湯装置が広く提供されている。この種の給湯装置では、外部から水を流入させるための入水口と、給湯装置で生成された湯を外部に流出させるための出湯口とが設けられ、入水口と出湯口に対して外部管路を接続することで、外部からの水の導入や外部への湯の供給を可能とする。
【先行技術文献】
【特許文献】
【０００３】
【特許文献１】特開２０１２−０７７９９４号公報
【発明の概要】
【発明が解決しようとする課題】
【０００４】
一般に、給湯装置では、入水口の下流側にフィルターが設けられており、入水口を通じて供給される水から異物を除去するようになっている。しかし、一般に、入水口と出湯口の接続部分は、共通形状、又は近似した形状であるため、施工時やメンテナンス時などにこれらを誤接続し、異物が器具内に侵入する虞がある。
【０００５】
このような誤接続を生じにくくする対策としては、例えば、給湯装置のケースにおいて入水口及び出湯口のそれぞれの近傍に文字を刻印するといった方法などが挙げられるが、ケースの陰に隠れて文字が目視し難く、確認に手間取ったり、見落としたりする虞がある。
【０００６】
他方、水の管路と湯の管路の誤接続に関するものではないが、配管の誤接続を防止するための技術としては、特許文献１のような技術も提案されている。しかし、特許文献１の技術は、制御部が制御動作を行わなければ配管の識別ができないものであるため、確認作業に時間や手間がかかってしまうという問題がある。
【０００７】
本発明は、上述した課題を解決するためになされたものであり、入水口と出湯口を視認性高く明示することができる給湯装置用の識別具を提供することを目的とするものである。
【課題を解決するための手段】
【０００８】
本発明の一態様である給湯装置用の識別具は、
第１外部管路からの水の入口となる入水口を備えるとともに前記第１外部管路が接続される第１露出管路と、前記入水口を介して外部から流入した水を通す通水路と、ガスバーナと、前記通水路を通る水に前記ガスバーナで生じた熱を伝達して湯を沸かす熱交換器と、前記熱交換器によって沸かされた湯の出口として構成される出湯口を備えるとともに前記出湯口から流出する湯を流すための第２外部管路が接続される第２露出管路と、を有する給湯装置に取り付けられるものであり、
前記第１露出管路又は前記第１露出管路に連結された部分に取り付けられ、水を示す記号又は図形の少なくともいずれかが表された第１表示部材と、
前記第２露出管路又は前記第２露出管路に連結された部分に取り付けられ、湯を示す記号又は図形の少なくともいずれかが表された第２表示部材と、
を有する。
【発明の効果】
【０００９】
この給湯装置用の識別具は、給湯装置のケースとは別の部材として構成することができるため、ケースに刻印などを施す構成と比較して視認性を高めやすい。従って、第１露出管路が水に関する管路であり、第２露出管路が湯に関する管路であることを、より迅速に関係者に認識させやすくなる。ゆえに、どちらが水に関する管路でどちらが湯に関する管路であるかの確認を関係者が行う場合に、確認作業をより迅速に且つより正確に行いやすくなる。
【図面の簡単な説明】
【００１０】
【図１】図１は、実施例１に係る給湯装置用の識別具が取り付けられる給湯装置の外観を概略的に示す概略図である。
【図２】図２は、図１の給湯装置の概略回路図である。
【図３】図３は、実施例１に係る給湯装置用の識別具が給湯装置に取り付けられた様子を示す概略図である。
【図４】図４（Ａ）は、第１表示部材を示す平面図であり、図４（Ｂ）は、第２表示部材を示す平面図である。
【発明を実施するための形態】
【００１１】
本発明の望ましい例を以下に示す。
【００１２】
第１表示部材は、板状に構成された第１板状部材を有し、第１板状部材において厚さ方向に貫通するように形成された１又は複数の貫通部により水を示す記号又は図形の少なくともいずれかが表されていてもよい。第２表示部材は、板状に構成された第２板状部材を有し、第２板状部材において厚さ方向に貫通するように形成された１又は複数の貫通部により湯を示す記号又は図形の少なくともいずれかが表されていてもよい。
【００１３】
このように構成された給湯装置用の識別具は、第１表示部材及び第２表示部材のそれぞれにおいて、水又は湯を示す記号又は図形の少なくともいずれかを、より簡易な構成で表すことができる。また、複数の貫通部によって記号又は図形の少なくともいずれかを表すことができるため、表側及び裏側のいずれから見たときでも、表されている記号又は図形を認識することができる。
【００１４】
第１板状部材の表面部は第１の色で表され、第２板状部材の表面部は、第１の色とは異なる第２の色で表されていてもよい。
【００１５】
このように構成された給湯装置用の識別具は、第１表示部材及び第２表示部材のそれぞれを色によっても区別することができ、いずれの色がいずれの表示部材を示すかを把握している者は、どちらが水に関する管路でどちらが湯に関する管路であるかの確認を、より一層迅速に、かつより一層正確に行うことができる。
【００１６】
＜実施例１＞
以下、発明の一例を示す実施例１について、図面を参照して説明する。
（給湯装置１の構成）
本発明の一例である給湯装置用の識別具１００（以下、識別具１００ともいう）は、図１、図２で示すような給湯装置１に用いることができる。まず、この給湯装置１の構成を説明する。
【００１７】
図１、図２で示す給湯装置１は、浴槽への給湯装置能と浴槽内の水の加熱機能とを備えた風呂・給湯システムとして構成され、図１のような外観をなす。図２のように、給湯装置１は、主として、給湯側回路２と風呂側回路３とを備える。給湯側回路２は、入水管１２、出湯管１０、ガスバーナ４、熱交換器６などを備え、外部から供給された水道水を加熱し出湯させる経路として機能する。風呂側回路３は、ガスバーナ５４、熱交換器５６、配管６６、循環ポンプ６２、サーミスタ６４，６５などを備え、自動湯張りの際の循環加熱、風呂の追い炊き等に利用される。
【００１８】
図２で示す給湯側回路２では、入水管１２、伝熱管８ａ、配管２０、伝熱管７ａ、出湯管１０によって構成される管路が通水路として機能する。入水管１２は、入水口１６からの水が流れ込む経路として構成され、出湯管１０は、出湯口１８へ湯を送り出す経路として構成される。ガスバーナ４は、給湯側バーナの一例に相当し、燃焼ガスを燃焼させて燃焼排気を発生させる部分である。熱交換器６は、給湯側熱交換器の一例に相当し、給湯側通水路（入水管１２、伝熱管８ａ、配管２０、伝熱管７ａ、出湯管１０によって構成される管路）を通る水にガスバーナ４で生じた熱を伝達して湯を沸かす部分であり、給湯側通水路の途中の位置に設けられ、給湯側通水路の内部を通る水に対してガスバーナ４での燃焼によって生じた熱を伝えるように機能する。熱交換器６は、一次熱交換器７及び二次熱交換器８を備え、一次熱交換器７は、給湯燃焼室９０内においてガスバーナ４の燃焼排気経路の上流側に配置され、二次熱交換器８は、給湯燃焼室９０内において燃焼排気経路の下流側に配置されている。
【００１９】
図２で示す給湯側回路２において、二次熱交換器８の入口には、水道水を供給する構成で入水管１２が接続されている。入水管１２には、水温検出部としてのサーミスタ２５と、入水管１２内の通水量を検出する水量センサ３４とが設けられている。入水管１２の下流側には、二次熱交換器８の伝熱管８ａが接続され、更にその下流側には、二次熱交換器８の伝熱管８ａと一次熱交換器７の伝熱管７ａとを連結する配管２０が接続される。この配管２０に連結された構成で一次熱交換器７の伝熱管７ａが接続され、一次熱交換器７の出口には、一次熱交換器７で加熱された湯を出湯する構成で出湯管１０が接続されている。出湯管１０には、出湯管１０内の水の温度を検出するサーミスタ２６が設けられている。熱交換器６は、一次熱交換器７によって燃焼排気の顕熱を回収した後、二次熱交換器８によって潜熱を回収するように機能する。
【００２０】
本構成では、入水管１２、伝熱管８ａ、配管２０、伝熱管７ａ、出湯管１０が通水管の一例に相当し、給湯装置１の外部に設けられた第１外部管路１９１から導入された水を通す流路として機能する。なお、第１外部管路１９１は、例えば水道からの水を供給するための管路として構成される。
【００２１】
図２で示すように、給湯装置１には、入水管１２と出湯管１０との間をバイパスする通水経路としてバイパス路１４が設けられ、バイパス路１４には、バイパス弁３２が設けられている。入水管１２において、バイパス路１４が連結する分岐位置よりも上流側には、通水量制御弁３３が設けられ、通水量制御弁３３は、入水管１２を閉塞状態と全開状態との間で様々な開度に連続的に変更できる構成となっている。
【００２２】
ガスバーナ４へのガスの供給を行うガス管４０には、上流側からガス元電磁弁４２、給湯ガス比例制御弁４４、各ガスバーナ４への分岐管ごとの給湯切替電磁弁４６，４６・・が夫々設けられている。また、給湯燃焼室９０の下方には、燃焼用空気を各ガスバーナ４（給湯バーナ）及びガスバーナ５４（風呂バーナ）へ供給するファン４８が設けられている。ガスバーナ５４（風呂バーナ）に接続されるガス管からの分岐管には、切替電磁弁５３が設けられている。給湯ガス比例制御弁４４、給湯切替電磁弁４６は、ガスバーナ４へのガス量を調整するように機能する。
【００２３】
風呂側回路３において、配管６６は、浴槽６０側からの水を熱交換器５６側へと導くための往き配管６７と、熱交換器５６側からの水を浴槽６０側へと導くための戻り配管６８と、往き配管６７と戻り配管６８とに連結されて熱交換器５６内を通る中間配管６９とを備える。配管６６は、例えば追い炊き動作時や沸かしあげ動作時に浴槽６０から引き込まれる水を往き配管６７によって熱交換器５６に導き、この熱交換器５６を通過した水を戻り配管６８によって浴槽６０に導くように循環させる経路となっている。熱交換器５６は、風呂一次熱交換器５７と風呂二次熱交換器５８とを備え、配管６６（循環路）を通る水にガスバーナ５４（風呂側バーナ）で生じた熱を伝達する。往き配管６７には、循環ポンプ６２と往き配管６７を通る水の温度を検出するサーミスタ６４が設けられている。戻り配管６８には、出湯管１０から分岐された落とし込み管７０が接続され、落とし込み管７０には、給湯用電磁弁７２及び落とし込み水量センサ７４が設けられている。更に、給湯装置１には、コントローラ２２が設けられ、コントローラ２２は、上述した水量調整部やガス量調整部などを制御する制御部として機能し、各種制御や演算などを行い得る。
【００２４】
（識別具の構成）
本発明の一例である識別具１００は、図３のように給湯装置１に取り付けられるものである。給湯装置１は、図１、図３のようにガスバーナ４や通水路などを収容するケース５を備えており、このケース５から露出する管路として、第１露出管路１５と第２露出管路１７とが設けられている。
【００２５】
第１露出管路１５は、上述した入水管１２（図２）の上流側において入水管１２に連通するように配置された管路であり、ケース５の外面部から突出するように配置されている。第１露出管路１５の端部には、第１外部管路１９１からの水の入口となる入水口１６が設けられており、図１のように第１露出管路１５に対して第１外部管路１９１が接続された状態では、第１外部管路１９１から供給される水が入水口１６を介して流入し、入水管１２側に導かれるようになっている。また、第１露出管路１５の内部空間には、水フィルタ３５が設けられており、この水フィルタ３５は、入水口１６から流入した水が入水管１２側に移動することを許容し、水に混入した異物が入水管１２側に移動することを防止するように機能する。
【００２６】
第２露出管路１７は、上述した出湯管１０の下流側において出湯管１０（図２）に連通するように配置された管路であり、ケース５の外面部から突出するように配置されている。第２露出管路１７の端部には、熱交換器６によって沸かされた湯の出口として構成される出湯口１８が設けられており、図１のように第２露出管路１７に第２外部管路１９２が接続された状態では、出湯口１８から流出する湯が第２外部管路１９２に導かれるようになっている。
【００２７】
このように構成された給湯装置１に対して、図３、図４のような識別具１００が取り付けられるようになっている。具体的には、第１露出管路１５の外周部から突出するように突出部１９ａが形成されている。突出部１９ａは筒状に構成され、突出部１９ａの内部空間と第１露出管路１５の内部空間は連通しており、突出部１９ａの内部空間と第１露出管路１５の内部空間とに跨るように水フィルタ３５が配置されている。そして、この突出部１９ａに対して第１表示部材１１０が取り付けられている。また、第２露出管路１７の外周部から突出するように突出部１９ｂが形成されており、この突出部１９ｂに対して第２表示部材１２０が取り付けられている。
【００２８】
第１表示部材１１０は、主として、板状に構成された第１板状部材１１２と、第１板状部材１１２を取り付けるための部材である第１取付部材１１４とを備える。第１板状部材１１２は、例えば樹脂材料によって構成され、水を示す記号又は図形の少なくともいずれかが表される部材となっている。図３、図４の例では、第１板状部材１１２の表面部は第１の色（例えば、青色などの寒色系の色）で表され、第１板状部材１１２において厚さ方向に貫通するように形成された複数の貫通部１１２ａにより水を示す記号（具体的には、「水」の漢字）が記されている。具体的には、「水」の漢字において第２画の部分を表す第１貫通孔部１１３ａと、第１画、第３画、第４画の部分を表す第２貫通孔部１１３ｂとが別々の貫通孔部としてそれぞれ溝状に形成されている。このように別々の位置に分離して形成された貫通孔部１１３ａ，１１３ｂによって「水」の漢字が表されており、「水」を明瞭に示しつつ、強度の強い構造となっている。
【００２９】
第１板状部材１１２の長手方向一端部寄りの位置には、第１取付部材１１４を通すための長孔部１１２ｂが、厚さ方向に貫通した孔部として形成されている。図３のように、第１取付部材１１４は、例えば樹脂材料によって構成されるとともに撓み変形可能な帯状又は紐状の部材として構成され、長孔部１１２ｂに挿し通されるように配置される。第１取付部材１１４は、長孔部１１２ｂに挿し通された状態で折り曲げられ、第１取付部材１１４の両端部が上述した突出部１９ａに係止するように取り付けられる。具体的には、第１取付部材１１４の両端部付近に開口部１１４ａ，１１４ｂがそれぞれ形成されており、第１露出管路１５に連結された突出部１９ａがこれら開口部１１４ａ，１１４ｂ内に挿入されるように取り付けられている。
【００３０】
第２表示部材１２０は、主として、板状に構成された第２板状部材１２２と、第２板状部材１２２を取り付けるための部材である第２取付部材１２４とを備える。第２板状部材１２２は、例えば樹脂材料によって構成され、水を示す記号又は図形の少なくともいずれかが表される部材となっている。図３、図４の例では、第２板状部材１２２の表面部は、第１板状部材１１２の表面部の色（第１の色）とは異なる第２の色（例えば、橙色などの暖色系の色）で表され、第２板状部材１２２において厚さ方向に貫通するように形成された複数の貫通部１２２ａにより湯を示す記号（具体的には、「ゆ」の平仮名）が記されている。具体的には、「ゆ」の平仮名が３つの部分に分けられており、それぞれが貫通孔部として表されている。貫通孔部１２３ａは、「ゆ」の平仮名における第一画目の第１部分（書き始めの起点から第二画目の部分と交差する位置までの部分）を表している。貫通孔部１２３ｂは、「ゆ」の平仮名における第一画目の第２部分（第二画目の部分よりも右側に位置する部分）を表している。貫通孔部１２３ｃは、「ゆ」の平仮名における第一画目の第３部分（上述した第１部分及び第２部分以外の部分）と第二画目の部分とを表している。このように別々の位置に分離して形成された貫通孔部１２３ａ，１２３ｂ，１２３ｃによって「ゆ」の平仮名が表されており、「ゆ」を明瞭に示しつつ、強度の強い構造となっている。
【００３１】
第２板状部材１２２の長手方向一端部寄りの位置には、第２取付部材１２４を通すための長孔部１２２ｂが、厚さ方向に貫通した孔部として形成されている。図３のように、第２取付部材１２４は、撓み変形可能な帯状又は紐状の部材として構成され、長孔部１２２ｂに挿し通されるように配置される。第２取付部材１２４は、長孔部１２２ｂに挿し通された状態で折り曲げられ、第２取付部材１２４の両端部が上述した突出部１９ｂに係止するように取り付けられる。具体的には、第２取付部材１２４の両端部付近に開口部１２４ａ，１２４ｂがそれぞれ形成されており、第２露出管路１７に連結された突出部１９ｂがこれら開口部１２４ａ，１２４ｂ内に挿入されるように取り付けられている。
【００３２】
次に、本構成の効果を例示する。
図３、図４等で示す給湯装置用の識別具１００は、給湯装置１のケース５とは別の部材として構成することができるため、ケース５に刻印などを施す構成と比較して視認性を高めやすい。従って、第１露出管路１５が水に関する管路であり、第２露出管路１７が湯に関する管路であることを、より迅速に関係者に認識させやすくなる。ゆえに、どちらが水に関する管路でどちらが湯に関する管路であるかの確認を関係者が行う場合に、確認作業をより迅速に且つより正確に行いやすくなる。
【００３３】
例えば、第１外部管路１９１と第２外部管路１９２とが誤って接続されてしまうと、水フィルタ３５が存在しない管路である出湯管１０の出口（出湯口１８）に第１外部管路１９１が誤接続されることになり、このままの状態で第１外部管路１９１から水が供給されると、水に混入している異物が出湯管１０を介して給湯装置内に侵入してしまう虞がある。しかし、上述した識別具１００を用いれば、どちらが水に関する管路でどちらが湯に関する管路であるかの確認を関係者が確実に行うことができるため、このような誤接続を防ぐことができ、ひいては、誤接続に起因する異物の侵入をも効果的に防止することができる。
【００３４】
図３のように、第１表示部材１１０は、板状に構成された第１板状部材１１２を有し、第１板状部材１１２において厚さ方向に貫通するように形成された複数の貫通部１１２ａにより「水」を示す記号（具体的には漢字）が表されている。第２表示部材１２０は、板状に構成された第２板状部材１２２を有し、第２板状部材１２２において厚さ方向に貫通するように形成された複数の貫通部１２２ａにより「湯」を示す記号（具体的には平仮名）が表されている。このように構成された識別具１００は、第１表示部材１１０及び第２表示部材１２０のそれぞれにおいて、水又は湯を示す記号を、より簡易な構成で表すことができる。また、複数の貫通部によって記号を表すことができるため、表側及び裏側のいずれから見たときでも、表されている記号を認識することができる。
【００３５】
図３、図４で示す識別具１００は、第１板状部材１１２の表面部が第１の色で表され、第２板状部材１２２の表面部が、第１の色とは異なる第２の色で表されている。このように、第１表示部材１１０及び第２表示部材１２０のそれぞれを色によっても区別することができ、いずれの色がいずれの表示部材を示すかを把握している者は、どちらが水に関する管路でどちらが湯に関する管路であるかの確認を、より一層迅速に、かつより一層正確に行うことができる。
【００３６】
＜他の実施例＞
上述した実施例には、様々な変更を加えてもよく、様々な構成を付加してもよい。以下、他の実施例を簡単に説明する。
【００３７】
上述した実施例では、第１板状部材１１２において厚さ方向に貫通するように形成された複数の貫通部により水を示す記号（漢字）を示したが、１つの貫通部により水を示す記号（例えば漢字など）を示してもよい。水を示す記号は、漢字に限らず、平仮名やカタカナなどであってもよく、日本語以外の外国語（例えば冷水を意味する英語など）で示してもよく、略語（例えば、「みず」のうちの「み」だけの文字等）などであってもよい。第１板状部材１１２に表す内容は、記号に限らず、水を示す図形（例えば、水滴を模した図形等）などであってもよく、記号と図形を併用してもよい。また、第１板状部材１１２に記号や図形を表すための構成は、貫通部に限定されず、第１板状部材１１２に絵や文字を描画することで水を表す記号や図形を表してもよく、シールなどの別部材を貼り付けて表してもよい。
【００３８】
上述した実施例では、第２板状部材１２２において厚さ方向に貫通するように形成された複数の貫通部により湯を示す記号（平仮名）を示したが、１つの貫通部により湯を示す記号（例えば平仮名など）を示してもよい。湯を示す記号は、平仮名に限らず、漢字やカタカナなどであってもよく、日本語以外の外国語（例えば湯を意味する英語など）で示してもよく、略語などであってもよい。第２板状部材１２２に表す内容は、記号に限らず、湯を示す図形（例えば、湯気を模した図形等）などであってもよく、記号と図形を併用してもよい。また、第２板状部材１２２に記号や図形を表すための構成は、貫通部に限定されず、第２板状部材１２２に絵や文字を描画することで湯を表す記号や図形を表してもよく、シールなどの別部材を貼り付けて表してもよい。
【００３９】
上述した実施例では、第１表示部材１１０が第１露出管路１５に連結された部分（第１露出管路１５から突出する突出部１９Ａ）に取り付けられていたが、第１露出管路１５に取り付けられていてもよい。
【００４０】
上述した実施例では、第２表示部材１２０が第２露出管路１７に連結された部分（第２露出管路１７から突出する突出部１９Ｂ）に取り付けられていたが、第２露出管路に取り付けられていてもよい。
【００４１】
第１取付部材１１４及び第２取付部材１２４は、帯状の部材の端部に開口部を形成し、この開口部に突出部を挿し通すように取り付ける構成であったが、露出管路又は露出管路に連結された部分に取り付け得る構成であればよい。例えば、帯状の部材の端部に切り欠き部を形成し、この切り欠き部を露出管路又は露出管路に連結された部分に引っ掛けるように取り付けてもよい。或いは、第１取付部材１１４及び第２取付部材１２４を紐状の部材によって構成し、縛り付ける等の方法で取り付けてもよい。
【符号の説明】
【００４２】
１…給湯装置
４…ガスバーナ
６…熱交換器
７ａ，８ａ…伝熱管（通水路）
１０…出湯管（通水路）
１２…入水管（通水路）
１５…第１露出管路
１６…入水口
１７…第２露出管路
１８…出湯口
１９ａ…突出部（第１露出管路に連結された部分）
１９ｂ…突出部（第２露出管路に連結された部分）
２０…配管（通水路）
１００…給湯装置用の識別具
１１０…第１表示部材
１１２…第１板状部材
１２０…第２表示部材
１２２…第２板状部材
１９１…第１外部管路
１９２…第２外部管路
【図１】
2018112252.tif 000003
【図２】
2018112252.tif 000004
【図３】
2018112252.tif 000005
【図４】
2018112252.tif 000006